(57)【要約】【課題】本体筐体に対して軸方向に着脱可能なカートリッジの位置決め精度を向上させることを目的とする。【解決手段】画像形成装置は、開放位置と閉鎖位置の間を移動可能なカバーと、第１方向に延びる第２軸Ｘ２について回転可能な現像ローラ５１と、現像フレームＦ２を有し、本体筐体２に第１方向に着脱可能な現像カートリッジ５０を備える。現像フレームＦ２は、第１現像外表面Ｆ２１と、第１方向において第１現像外表面Ｆ２１と間隔を空けて位置する第２現像外表面Ｆ２２と、第１現像外表面Ｆ２１に位置する第１現像穴Ｇ１と、第２現像外表面Ｆ２２に位置する第２現像突起Ｇ２を有し、本体筐体は、現像カートリッジ５０が本体筐体に装着された状態において、第１現像穴Ｇ１に入る第１本体突起を有し、カバーは、現像カートリッジ５０が本体筐体に装着され、かつ、カバーが閉鎖位置に位置する状態において、第２現像突起Ｇ２が入る第１カバー穴を有する。【選択図】図３
2020052358.tif 000002
【特許請求の範囲】
【請求項１】
開口を有する本体筐体と、
前記開口を開放する開放位置と前記開口を閉鎖する閉鎖位置との間を移動可能なカバーと、
第１方向に延びる第１軸について回転可能な感光ドラムと、ドラムフレームと、を有するドラムカートリッジであって、前記第１方向に前記本体筐体に前記開口を介して着脱可能なドラムカートリッジと、
前記第１方向に延びる第２軸について回転可能な現像ローラと、現像剤を収容可能な現像フレームと、を有する現像カートリッジであって、前記第１方向に前記本体筐体に前記開口を介して着脱可能な現像カートリッジと、
前記ドラムカートリッジおよび前記現像カートリッジが前記本体筐体に装着された状態において、前記ドラムカートリッジおよび前記現像カートリッジよりも上方に位置する中間転写ベルトと、を備え、
前記現像フレームは、
第１現像外表面と、
前記第１方向において前記第１現像外表面と間隔を空けて位置する第２現像外表面と、
前記第１現像外表面に位置する第１現像突起、または、第１現像穴と、
前記第２現像外表面に位置する第２現像突起、または、第２現像穴と、を有し、
前記本体筐体は、
前記現像カートリッジが前記本体筐体に装着された状態において、前記第１現像突起が入る第１本体穴、または、前記第１現像穴に入る第１本体突起と、を有し、
前記カバーは、
前記現像カートリッジが前記本体筐体に装着され、かつ、前記カバーが閉鎖位置に位置する状態において、前記第２現像突起が入る第１カバー穴、または、前記第２現像穴に入る第１カバー突起と、を有することを特徴とする画像形成装置。
【請求項２】
前記中間転写ベルトの上方に位置する排紙部を備えた請求項１に記載の画像形成装置。
【請求項３】
前記ドラムカートリッジおよび前記現像カートリッジが前記本体筐体に装着された状態において、前記現像カートリッジは、前記現像ローラが前記感光ドラムと接触する接触位置と前記現像ローラが前記感光ドラムと離間する離間位置との間を前記ドラムカートリッジに対して移動可能であることを特徴とする請求項１または請求項２に記載の画像形成装置。
【請求項４】
前記現像フレームは、前記第２現像突起を有し、
前記カバーは、前記現像カートリッジが前記本体筐体に装着され、かつ、前記カバーが前記閉鎖位置に位置する状態において、前記第２現像突起が入る前記第１カバー穴を有し、
前記第２現像突起の外径は、前記第１カバー穴の大きさよりも小さいことを特徴とする請求項３に記載の画像形成装置。
【請求項５】
前記第２現像突起は、前記第１方向における前記現像ローラの端部に位置することを特徴とする請求項４に記載の画像形成装置。
【請求項６】
前記カバーは、前記第２現像突起が前記第１カバー穴に入った状態において、前記第２現像突起を押圧するバネであって、前記現像ローラを前記感光ドラムに向けて押圧するバネを有することを特徴とする請求項４または請求項５に記載の画像形成装置。
【請求項７】
前記バネは、前記現像カートリッジが前記接触位置に位置する場合、第１位置に位置し、前記現像カートリッジが前記離間位置に位置する場合、第２位置に位置することを特徴とする請求項６に記載の画像形成装置。
【請求項８】
前記カバーは、前記バネを前記第１位置に位置させる第３位置と、前記バネを前記第２位置に位置させる第４位置との間で移動可能なカムを有することを特徴とする請求項７に記載の画像形成装置。
【請求項９】
前記カムは、前記第１方向と交差する第２方向に移動可能であることを特徴とする請求項８に記載の画像形成装置。
【請求項１０】
前記ドラムカートリッジおよび前記現像カートリッジは、前記第２方向に並ぶことを特徴とする請求項９に記載の画像形成装置。
【請求項１１】
前記ドラムフレームは、
第１ドラム外表面と、
前記第１方向において前記第１ドラム外表面と間隔を空けて位置する第２ドラム外表面と、
前記第１ドラム外表面に位置する第１ドラム突起、または、第１ドラム穴と、
前記第２ドラム外表面に位置する第２ドラム突起、または、第２ドラム穴と、を有し、
前記本体筐体は、
前記ドラムカートリッジが前記本体筐体に装着された状態において、前記第１ドラム突起が入る第２本体穴、または、前記第１ドラム穴に入る第２本体突起と、を有し、
前記カバーは、
前記ドラムカートリッジが前記本体筐体に装着され、かつ、前記カバーが閉鎖位置に位置する状態において、前記第２ドラム突起が入る第２カバー穴、または、第２ドラム穴に入る第２カバー突起と、を有することを特徴とする請求項１から請求項１０のいずれか１項に記載の画像形成装置。
【請求項１２】
前記ドラムカートリッジは、前記第１ドラム外表面に位置するドラムカップリングであって、前記第１方向における前記感光ドラムの一端部に位置するドラムカップリングを有し、
前記ドラムフレームは、前記第１ドラム穴を有し、
前記ドラムカップリングは、前記第１ドラム穴内に位置することを特徴とする請求項１１に記載の画像形成装置。
【請求項１３】
前記ドラムフレームは、前記第２ドラム突起を有し、
前記第２ドラム突起は、前記第１方向における前記感光ドラムの他端部に位置することを特徴とする請求項１１または請求項１２に記載の画像形成装置。
【請求項１４】
前記現像フレームは、
前記第１現像外表面に位置する第３現像突起、または、第３現像穴と、
前記第２現像外表面に位置する第４現像突起、または、第４現像穴と、を有し、
前記本体筐体は、
前記現像カートリッジが前記本体筐体に装着された状態において、前記第３現像突起が入る第３本体穴、または、前記第３現像穴に入る第３本体突起を有し、
前記カバーは、
前記現像カートリッジが前記本体筐体に装着され、かつ、前記カバーが閉鎖位置に位置する状態において、前記第４現像突起が入る第３カバー穴、または、前記第４現像穴に入る第３カバー突起を有することを特徴とする請求項１から請求項１３のいずれか１項に記載の画像形成装置。
【請求項１５】
前記現像フレームは、前記第３現像穴と、前記第４現像穴と、を有し、
前記本体筐体は、前記現像カートリッジが前記本体筐体に装着された状態において、前記第３現像穴に入る第３本体突起を有し、
前記カバーは、前記現像カートリッジが前記本体筐体に装着され、かつ、前記カバーが閉鎖位置に位置する状態において、前記第４現像穴に入る第３カバー突起を有し、
前記第３現像穴の大きさは、前記第３本体突起の外径よりも大きく、
前記第４現像穴の大きさは、前記第３カバー突起の外径よりも大きいことを特徴とする請求項１４に記載の画像形成装置。
【請求項１６】
前記ドラムフレームは、
前記第１ドラム外表面に位置する第３ドラム突起、または、第３ドラム穴と、
前記第２ドラム外表面に位置する第４ドラム突起、または、第４ドラム穴と、を有し、
前記本体筐体は、
前記ドラムカートリッジが前記本体筐体に装着された状態において、前記第３ドラム突起が入る第４本体穴、または、前記第３ドラム穴に入る第４本体突起を有し、
前記カバーは、
前記ドラムカートリッジが前記本体筐体に装着され、かつ、前記カバーが閉鎖位置に位置する状態において、前記第４ドラム突起が入る第４カバー穴、または、前記第４ドラム穴に入る第４カバー突起を有することを特徴とする請求項１１から請求項１３のいずれか１項に記載の画像形成装置。
【請求項１７】
前記現像カートリッジは、前記第２現像外表面に位置する現像ハンドルを有し、
前記現像フレームは、前記第４現像穴を有し、
前記第４現像穴は、前記現像ハンドル上に位置することを特徴とする請求項１４または請求項１５に記載の画像形成装置。
【請求項１８】
前記ドラムカートリッジと前記現像カートリッジは、それぞれ独立して、前記本体筐体に着脱可能であることを特徴とする請求項１から請求項１７のいずれか１項に記載の画像形成装置。
【発明の詳細な説明】
【技術分野】
【０００１】
本発明は、ドラムカートリッジおよび現像カートリッジを備える画像形成装置に関する。
【背景技術】
【０００２】
従来、本体筐体に対してドラムカートリッジおよび現像カートリッジを感光ドラムなどの軸方向に着脱可能な画像形成装置が知られている（特許文献１参照）。この技術では、ドラムカートリッジおよび現像カートリッジは、それぞれ本体筐体に対して個別に着脱可能となっている。
【０００３】
この技術では、ドラムカートリッジおよび現像カートリッジが本体筐体に装着された状態において、現像カートリッジは、現像ローラが感光ドラムに接触する接触位置と、現像ローラが感光ドラムから離間した離間位置との間で移動可能となっている。
【先行技術文献】
【特許文献】
【０００４】
【特許文献１】特開２０１７−１７３８０５号公報
【発明の概要】
【発明が解決しようとする課題】
【０００５】
従来技術では、感光ドラムの軸方向におけるドラムカートリッジの一端部および他端部に、ドラムカートリッジを本体筐体に対して位置決めする部品が無く、本体筐体に対するドラムカートリッジの位置決め精度の向上が求められる。
また、感光ドラムの軸方向における現像カートリッジの一端部および他端部に、現像カートリッジを本体筐体に対して位置決めする部品が無く、本体筐体に対する現像カートリッジの位置決め精度の向上が求められる。
【０００６】
そこで、本発明は、本体筐体に対して軸方向に装着可能なカートリッジ（例えば、現像カートリッジ）の位置決め精度を向上させることを目的とする。
【課題を解決するための手段】
【０００７】
前記課題を解決するため、本発明に係る画像形成装置は、開口を有する本体筐体と、前記開口を開放する開放位置と前記開口を閉鎖する閉鎖位置との間を移動可能なカバーと、第１方向に延びる第１軸について回転可能な感光ドラムと、ドラムフレームと、を有するドラムカートリッジであって、前記第１方向に前記本体筐体に前記開口を介して着脱可能なドラムカートリッジと、前記第１方向に延びる第２軸について回転可能な現像ローラと、現像剤を収容可能な現像フレームと、を有する現像カートリッジであって、前記第１方向に前記本体筐体に前記開口を介して着脱可能な現像カートリッジと、前記ドラムカートリッジおよび前記現像カートリッジが前記本体筐体に装着された状態において、前記ドラムカートリッジおよび前記現像カートリッジよりも上方に位置する中間転写ベルトと、を備える。
前記現像フレームは、第１現像外表面と、前記第１方向において前記第１現像外表面と間隔を空けて位置する第２現像外表面と、前記第１現像外表面に位置する第１現像突起、または、第１現像穴と、前記第２現像外表面に位置する第２現像突起、または、第２現像穴と、を有する。
前記本体筐体は、前記現像カートリッジが前記本体筐体に装着された状態において、前記第１現像突起が入る第１本体穴、または、前記第１現像穴に入る第１本体突起と、を有する。
前記カバーは、前記現像カートリッジが前記本体筐体に装着され、かつ、前記カバーが閉鎖位置に位置する状態において、前記第２現像突起が入る第１カバー穴、または、前記第２現像穴に入る第１カバー突起と、を有する。
【０００８】
この構成によれば、本体筐体に対して第１方向（軸方向）に着脱可能な現像カートリッジを、本体筐体の突起または穴とカバーの突起または穴とで精度良く位置決めすることができる。
【０００９】
また、前記画像形成装置は、前記中間転写ベルトの上方に位置する排紙部を備えていてもよい。
【００１０】
また、前記ドラムカートリッジおよび前記現像カートリッジが前記本体筐体に装着された状態において、前記現像カートリッジは、前記現像ローラが前記感光ドラムと接触する接触位置と前記現像ローラが前記感光ドラムと離間する離間位置との間を前記ドラムカートリッジに対して移動可能であってもよい。
【００１１】
また、前記現像フレームは、前記第２現像突起を有し、前記カバーは、前記現像カートリッジが前記本体筐体に装着され、かつ、前記カバーが前記閉鎖位置に位置する状態において、前記第２現像突起が入る前記第１カバー穴を有し、前記第２現像突起の外径は、前記第１カバー穴の大きさよりも小さくてもよい。
【００１２】
また、前記第２現像突起は、前記第１方向における前記現像ローラの端部に位置していてもよい。
【００１３】
また、前記カバーは、前記第２現像突起が前記第１カバー穴に入った状態において、前記第２現像突起を押圧するバネであって、前記現像ローラを前記感光ドラムに向けて押圧するバネを有していてもよい。
【００１４】
また、前記バネは、前記現像カートリッジが前記接触位置に位置する場合、第１位置に位置し、前記現像カートリッジが前記離間位置に位置する場合、第２位置に位置していてもよい。
【００１５】
また、前記カバーは、前記バネを前記第１位置に位置させる第３位置と、前記バネを前記第２位置に位置させる第４位置との間で移動可能なカムを有していてもよい。
【００１６】
また、前記カムは、前記第１方向と交差する第２方向に移動可能であってもよい。
【００１７】
また、前記ドラムカートリッジおよび前記現像カートリッジは、前記第２方向に並んでいてもよい。
【００１８】
また、前記ドラムフレームは、第１ドラム外表面と、前記第１方向において前記第１ドラム外表面と間隔を空けて位置する第２ドラム外表面と、前記第１ドラム外表面に位置する第１ドラム突起、または、第１ドラム穴と、前記第２ドラム外表面に位置する第２ドラム突起、または、第２ドラム穴と、を有し、前記本体筐体は、前記ドラムカートリッジが前記本体筐体に装着された状態において、前記第１ドラム突起が入る第２本体穴、または、前記第１ドラム穴に入る第２本体突起と、を有し、前記カバーは、前記ドラムカートリッジが前記本体筐体に装着され、かつ、前記カバーが閉鎖位置に位置する状態において、前記第２ドラム突起が入る第２カバー穴、または、第２ドラム穴に入る第２カバー突起と、を有していてもよい。
【００１９】
これによれば、本体筐体に対して第１方向に着脱可能なドラムカートリッジを、本体筐体の突起または穴とカバーの突起または穴とで精度良く位置決めすることができる。
【００２０】
また、前記ドラムカートリッジは、前記第１ドラム外表面に位置するドラムカップリングであって、前記第１方向における前記感光ドラムの一端部に位置するドラムカップリングを有し、前記ドラムフレームは、前記第１ドラム穴を有し、前記ドラムカップリングは、前記第１ドラム穴内に位置していてもよい。
【００２１】
また、前記ドラムフレームは、前記第２ドラム突起を有し、前記第２ドラム突起は、前記第１方向における前記感光ドラムの他端部に位置していてもよい。
【００２２】
また、前記現像フレームは、前記第１現像外表面に位置する第３現像突起、または、第３現像穴と、前記第２現像外表面に位置する第４現像突起、または、第４現像穴と、を有し、前記本体筐体は、前記現像カートリッジが前記本体筐体に装着された状態において、前記第３現像突起が入る第３本体穴、または、前記第３現像穴に入る第３本体突起を有し、前記カバーは、前記現像カートリッジが前記本体筐体に装着され、かつ、前記カバーが閉鎖位置に位置する状態において、前記第４現像突起が入る第３カバー穴、または、前記第４現像穴に入る第３カバー突起を有していてもよい。
【００２３】
また、前記現像フレームは、前記第３現像穴と、前記第４現像穴と、を有し、前記本体筐体は、前記現像カートリッジが前記本体筐体に装着された状態において、前記第３現像穴に入る第３本体突起を有し、前記カバーは、前記現像カートリッジが前記本体筐体に装着され、かつ、前記カバーが閉鎖位置に位置する状態において、前記第４現像穴に入る第３カバー突起を有し、前記第３現像穴の大きさは、前記第３本体突起の外径よりも大きく、前記第４現像穴の大きさは、前記第３カバー突起の外径よりも大きくてもよい。
【００２４】
また、前記ドラムフレームは、前記第１ドラム外表面に位置する第３ドラム突起、または、第３ドラム穴と、前記第２ドラム外表面に位置する第４ドラム突起、または、第４ドラム穴と、を有し、前記本体筐体は、前記ドラムカートリッジが前記本体筐体に装着された状態において、前記第３ドラム突起が入る第４本体穴、または、前記第３ドラム穴に入る第４本体突起を有し、前記カバーは、前記ドラムカートリッジが前記本体筐体に装着され、かつ、前記カバーが閉鎖位置に位置する状態において、前記第４ドラム突起が入る第４カバー穴、または、前記第４ドラム穴に入る第４カバー突起を有していてもよい。
【００２５】
また、前記現像カートリッジは、前記第２現像外表面に位置する現像ハンドルを有し、前記現像フレームは、前記第４現像穴を有し、前記第４現像穴は、前記現像ハンドル上に位置していてもよい。
【００２６】
また、前記ドラムカートリッジと前記現像カートリッジは、それぞれ独立して、前記本体筐体に着脱可能であってもよい。
【発明の効果】
【００２７】
本発明によれば、本体筐体に対して軸方向に着脱可能なカートリッジの位置決め精度を向上させることができる。
【図面の簡単な説明】
【００２８】
【図１】本発明の一実施形態に係るカラープリンタの概略構成を示す図である。
【図２】カバーを開いた状態のカラープリンタを示す斜視図である。
【図３】現像カートリッジの第１現像外表面を示す視図（ａ）と、第２現像外表面を示す斜視図（ｂ）である。
【図４】ドラムカートリッジの第１ドラム外表面を示す斜視図（ａ）と、第２ドラム外表面を示す斜視図（ｂ）である。
【図５】本体筐体の突起・穴周りの構造を示す図である。
【図６】第１カバーの突起・穴周りの構造を示す図である。
【図７】カバープレートが上昇した後、カムが第４位置から第３位置に移動する一連の動きを示す図（ａ）〜（ｃ）である。
【図８】感光ドラムが中間転写ベルトに向けて移動した後、現像ローラが感光ドラムに向けて移動する一連の動きを示す図（ａ）〜（ｃ）である。
【図９】第１変形例に係るドラムカートリッジ、現像カートリッジおよび連結カバーの分解斜視図である。
【図１０】図９のドラムカートリッジおよび現像カートリッジを連結カバーで連結した状態を示す斜視図である。
【図１１】第１変形例に係るドラムカートリッジ、現像カートリッジおよび連結カバーの分解斜視図である。
【図１２】図１１のドラムカートリッジおよび現像カートリッジを連結カバーで連結した状態を示す斜視図である。
【図１３】第１変形例に係る本体プレートおよびカバープレートを示す斜視図である。
【図１４】第１変形例の動作を示す図（ａ），（ｂ）である。
【図１５】第１変形例の穴形状を変更した形態を示す図である。
【図１６】第２変形例に係るドラムカートリッジおよび現像カートリッジの分解斜視図である。
【図１７】図１６のドラムカートリッジに現像カートリッジを装着した状態を示す斜視図である。
【図１８】図１７のドラムカートリッジおよび現像カートリッジの斜視図である。
【発明を実施するための形態】
【００２９】
次に、本発明の一実施形態について、適宜図面を参照しながら詳細に説明する。なお、以下の説明においては、まず、画像形成装置の一例としてのカラープリンタ１の全体構成を説明する。
【００３０】
図１に示すように、カラープリンタ１は、本体筐体２と、給紙部３と、画像形成部４と、排紙部２１と、を備える。給紙部３は、画像形成部４に用紙Ｐを供給する。画像形成部４は、用紙Ｐに画像を形成する。排紙部２１は、用紙Ｐを排出する。
【００３１】
排紙部２１は、本体筐体２の上部に位置する。排紙部２１は、後述する中間転写ベルト６３の上方に位置する。排紙部２１は、排出ローラ９と、排紙面と、を備える。排出ローラ９は、用紙Ｐを排紙面に向けて搬送する。
【００３２】
給紙部３は、本体筐体２内の下部に位置する。給紙部３は、給紙トレイ３１と、給紙機構３２と、を備える。給紙トレイ３１は、本体筐体２に着脱可能である。給紙機構３２は、用紙Ｐを給紙トレイ３１から画像形成部４に搬送する。
【００３３】
画像形成部４は、４つのドラムカートリッジ４０と、４つの現像カートリッジ５０と、露光装置ＳＵと、転写ユニット６０と、定着ユニット７０と、を備える。
【００３４】
ドラムカートリッジ４０は、感光ドラム４１と、ドラムフレームＦ１と、図示せぬ帯電器と、を有する。感光ドラム４１は、第１方向に延びる第１軸Ｘ１について回転可能である。４つのドラムカートリッジ４０は、第１方向および上下方向に直交する第２方向に並ぶ。詳しくは、４つの感光ドラム４１は、第１方向および上下方向に直交する第２方向に並ぶ。
【００３５】
現像カートリッジ５０は、現像ローラ５１と、現像フレームＦ２と、を有する。現像フレームＦ２は、現像剤を収容する。現像ローラ５１は、第１方向に延びる第２軸Ｘ２について回転可能である。４つの現像カートリッジ５０は、第２方向に並ぶ。詳しくは、４つの現像ローラ５１は、第２方向に並ぶ。
【００３６】
露光装置ＳＵは、各ドラムカートリッジ４０の下に位置する。露光装置ＳＵは、レーザ光を各感光ドラム４１に出射する。
【００３７】
転写ユニット６０は、４つの感光ドラム４１と排紙部２１との間に位置する。転写ユニット６０は、駆動ローラ６１と、従動ローラ６２と、中間転写ベルト６３と、４つの１次転写ローラ６４と、２次転写ローラ６５と、を備える。
【００３８】
中間転写ベルト６３は、無端状のベルトである。中間転写ベルト６３は、ドラムカートリッジ４０および現像カートリッジ５０が本体筐体２に装着された状態において、ドラムカートリッジ４０および現像カートリッジ５０よりも上方に位置する。
【００３９】
１次転写ローラ６４は、中間転写ベルト６３の内側に位置する。１次転写ローラ６４と感光ドラム４１は、中間転写ベルト６３を挟む。
【００４０】
２次転写ローラ６５は、中間転写ベルト６３の外側に位置する。２次転写ローラ６５と駆動ローラ６１は、中間転写ベルト６３を挟む。
【００４１】
定着ユニット７０は、中間転写ベルト６３の上に位置する。定着ユニット７０は、加熱ローラ７１と、加圧ローラ７２と、を備える。加圧ローラ７２は、加熱ローラ７１に押圧される。
【００４２】
まず、帯電器が、感光ドラム４１の表面を帯電させる。その後、露光装置ＳＵが、感光ドラム４１の表面を露光する。これにより、感光ドラム４１上に静電潜像が形成される。
【００４３】
次いで、現像ローラ５１が、感光ドラム４１上の静電潜像に現像剤を供給する。これにより、感光ドラム４１上に現像剤像が形成される。そして、感光ドラム４１上の現像剤像は、中間転写ベルト６３上に転写される。
【００４４】
用紙Ｐが中間転写ベルト６３と２次転写ローラ６５の間を通過するときに、中間転写ベルト６３上の現像剤像は、用紙Ｐ上に転写される。その後、用紙Ｐ上の現像剤像は、定着ユニット７０で定着される。次いで、用紙Ｐは、排出ローラ９によって排紙部２１に排出される。
【００４５】
図２に示すように、本体筐体２は、開口２２Ａを有する。カラープリンタ１は、カバーＣを備える。カバーＣは、開口２２Ａを開閉するための部材である。カバーＣは、第１カバーＣ１と、第２カバーＣ２と、を有する。
【００４６】
第１カバーＣ１は、開口２２Ａを開放する開放位置と、開口２２Ａを閉鎖する閉鎖位置との間を移動可能である。詳しくは、第１カバーＣ１は、上端と、下端と、を有する。第１カバーＣ１は、第１カバーＣ１の下端を中心に回動可能である。
【００４７】
第２カバーＣ２は、上端と、下端と、を有する。第２カバーＣ２は、第２カバーＣ２の下端を中心に回動する。第２カバーＣ２は、開口２２Ａおよび第１カバーＣ１を覆う。なお、第２カバーＣ２と第１カバーＣ１は、互いに連動して回動してもよい。また、第１カバーＣ１と第２カバーＣ２が、それぞれ別々に回動可能となっていてもよい。
【００４８】
ドラムカートリッジ４０および現像カートリッジ５０は、第２方向に並んでいる。ドラムカートリッジ４０は、第１方向に本体筐体２に開口２２Ａを介して着脱可能である。現像カートリッジ５０は、第１方向に本体筐体２に開口２２Ａを介して着脱可能である。ドラムカートリッジ４０と現像カートリッジ５０は、それぞれ独立して、本体筐体２に着脱可能である。なお、各ドラムカートリッジ４０は、同一の構造となっている。また、各現像カートリッジ５０は、同一の構造となっている。
【００４９】
図３（ａ），（ｂ）に示すように、現像フレームＦ２は、第１現像外表面Ｆ２１と、第２現像外表面Ｆ２２と、第１現像穴Ｇ１と、第２現像突起Ｇ２と、第３現像穴Ｇ３と、第４現像穴Ｇ４と、現像ハンドルＨ１と、現像カップリングＣＰ１と、カップリング穴Ｆ２１１と、を有する。第１現像外表面Ｆ２１は、現像フレームＦ２の第１方向の一端に位置する。
【００５０】
第２現像外表面Ｆ２２は、現像フレームＦ２の第１方向の他端に位置する。第２現像外表面Ｆ２２は、第１方向において第１現像外表面Ｆ２１と間隔を空けて位置する。
【００５１】
第１現像穴Ｇ１、第３現像穴Ｇ３およびカップリング穴Ｆ２１１は、第１現像外表面Ｆ２１に位置する。第１現像穴Ｇ１は、第３現像穴Ｇ３およびカップリング穴Ｆ２１１よりも上に位置する。第１現像穴Ｇ１は、第１方向における現像ローラ５１の一端部に位置する。
【００５２】
現像カップリングＣＰ１は、本体筐体２に配置される図示せぬ駆動源から駆動力を受けるカップリングである。現像カップリングＣＰ１は、カップリング穴Ｆ２１１内に入っている。
【００５３】
第２現像突起Ｇ２、第４現像穴Ｇ４および現像ハンドルＨ１は、第２現像外表面Ｆ２２に位置する。第２現像突起Ｇ２は、第１方向における現像ローラ５１の他端部に位置する。第４現像穴Ｇ４は、現像ハンドルＨ１上に位置する。
【００５４】
本実施形態では、第２現像突起Ｇ２は、現像ローラ５１のシャフトの端部である。なお、第２現像突起Ｇ２は、現像ローラ５１のシャフトを回転可能に支持する軸受であってもよい。
【００５５】
現像ハンドルＨ１は、第１凹みＢ１を有する。第１凹みＢ１は、上方から下方に向けて貫通する貫通穴である。第１凹みＢ１は、ユーザが本体筐体２から現像カートリッジ５０を取り出す場合に、ユーザの指がフックされることを許容する。
【００５６】
図４（ａ），（ｂ）に示すように、ドラムフレームＦ１は、第１ドラム外表面Ｆ１１と、第２ドラム外表面Ｆ１２と、第１ドラム穴Ｄ１と、第２ドラム突起Ｄ２と、第３ドラム穴Ｄ３と、第４ドラム突起Ｄ４と、ドラムカップリングＣＰ２と、ドラムハンドルＨ２と、を有する。第１ドラム外表面Ｆ１１は、ドラムフレームＦ１の第１方向の一端に位置する。
【００５７】
第２ドラム外表面Ｆ１２は、ドラムフレームＦ１の第１方向の他端に位置する。第２ドラム外表面Ｆ１２は、第１方向において第１ドラム外表面Ｆ１１と間隔を空けて位置する。
【００５８】
第１ドラム穴Ｄ１、第３ドラム穴Ｄ３およびドラムカップリングＣＰ２は、第１ドラム外表面Ｆ１１に位置する。第１ドラム穴Ｄ１と第３ドラム穴Ｄ３は、第２方向において並んでいる。
【００５９】
ドラムカップリングＣＰ２は、本体筐体２に配置される図示せぬ駆動源から駆動力を受けるカップリングである。ドラムカップリングＣＰ２は、第１方向における感光ドラム４１の一端部に位置する。ドラムカップリングＣＰ２は、第１ドラム穴Ｄ１内に位置する。
【００６０】
第２ドラム突起Ｄ２、第４ドラム突起Ｄ４およびドラムハンドルＨ２は、第２ドラム外表面Ｆ１２に位置する。第２ドラム突起Ｄ２と第４ドラム突起Ｄ４は、第２方向において並んでいる。第２ドラム突起Ｄ２と第４ドラム突起Ｄ４は、ドラムハンドルＨ２の上に位置する。第２ドラム突起Ｄ２は、第１方向における感光ドラム４１の他端部に位置する。
【００６１】
ドラムハンドルＨ２は、第２凹みＢ２を有する。第２凹みＢ２は、上方から下方に向けて貫通する貫通穴である。第２凹みＢ２は、ユーザが本体筐体２からドラムカートリッジ４０を取り出す場合に、ユーザの指がフックされることを許容する。
【００６２】
図５に示すように、本体筐体２は、壁２３と、本体プレートＰＭと、第１本体突起Ｍ１と、第２本体突起Ｍ２と、第３本体突起Ｍ３と、第４本体突起Ｍ４と、を有する。壁２３は、第１方向において本体筐体２の一端に位置する。壁２３は、本体プレートＰＭを上下方向に移動可能に支持している。
【００６３】
第１本体突起Ｍ１および第３本体突起Ｍ３は、所定の色の現像カートリッジ５０に対して設置されている。第２本体突起Ｍ２および第４本体突起Ｍ４は、所定の色のドラムカートリッジ４０に対して設置されている。なお、以下の説明では、所定の色のドラムカートリッジ４０および現像カートリッジ５０に対応した本体突起Ｍ１〜Ｍ４のみを説明する。他の色のドラムカートリッジ４０および現像カートリッジ５０に対応した本体突起Ｍ１〜Ｍ４については、同一の構造であるため、同一の符号を付して説明は省略する。
【００６４】
本体プレートＰＭは、長孔ＰＭ１と、第２本体突起Ｍ２と、第３本体突起Ｍ３と、第４本体突起Ｍ４と、を有する。長孔ＰＭ１は、第１方向に貫通する。第２本体突起Ｍ２、第３本体突起Ｍ３および第４本体突起Ｍ４は、本体プレートＰＭからドラムカートリッジ４０に向けて突出する。
【００６５】
第２本体突起Ｍ２は、リング状の突起である。第２本体突起Ｍ２は、ドラムカートリッジ４０が本体筐体２に装着された状態において、第１ドラム穴Ｄ１に入る。なお、リング状の第２本体突起Ｍ２の内部は、第１方向に貫通している。壁２３は、第１方向に進退可能な本体カップリング（図示せぬ）を備える。本体カップリングは、リング状の第２本体突起Ｍ２の内部を通って、ドラムカップリングＣＰ２に連結される。なお、本体カップリングは、本体プレートＰＭとともに上下方向に移動可能となっている。
【００６６】
第４本体突起Ｍ４は、円柱状の突起である。第４本体突起Ｍ４は、ドラムカートリッジ４０が本体筐体２に装着された状態において、第３ドラム穴Ｄ３に入る。
【００６７】
第３本体突起Ｍ３は、円柱状の突起である。第３本体突起Ｍ３は、現像カートリッジ５０が本体筐体２に装着された状態において、第３現像穴Ｇ３に入る。第３現像穴Ｇ３の大きさは、第３本体突起Ｍ３の外径よりも大きい。
【００６８】
第１本体突起Ｍ１は、上下方向および第２方向に移動可能となるように、壁２３に支持されている。第１本体突起Ｍ１は、円柱状の突起である。第１本体突起Ｍ１は、本体プレートＰＭの長孔ＰＭ１を通って、本体プレートＰＭから現像カートリッジ５０に向けて突出する。第１本体突起Ｍ１は、現像カートリッジ５０が本体筐体２に装着された状態において、第１現像穴Ｇ１に入る。
【００６９】
図６および図７（ａ）に示すように、第１カバーＣ１は、カバー本体Ｃ１１と、カバープレートＰＣと、バネＳＰと、カムＣＭと、を有する。カバー本体Ｃ１１は、本体筐体２に回動可能に支持されている。
【００７０】
カバープレートＰＣは、第１カバーＣ１が閉鎖位置に位置する状態において、カバー本体Ｃ１１に対して上下方向に移動可能である。詳しくは、カバープレートＰＣは、第１カバーＣ１が閉鎖位置に位置する状態において、図７（ａ）に示す下方位置と、図７（ｂ）に示す上方位置との間で移動可能となっている。
【００７１】
なお、カバープレートＰＣは、前述した本体プレートＰＭとともに上下方向に移動可能となっている。また、本体筐体２は、カバープレートＰＣおよび本体プレートＰＭを上下方向に移動させるための図示せぬ駆動機構を備えている。
【００７２】
カバープレートＰＣは、第１カバー穴Ｖ１と、第２カバー穴Ｖ２と、第３カバー突起Ｖ３と、第４カバー穴Ｖ４と、を有する。第１カバー穴Ｖ１および第３カバー突起Ｖ３と、バネＳＰは、所定の色の現像カートリッジ５０に対して設置されている。第２カバー穴Ｖ２および第４カバー穴Ｖ４は、所定の色のドラムカートリッジ４０に対して設置されている。なお、以下の説明では、所定の色のドラムカートリッジ４０および現像カートリッジ５０に対応したバネＳＰ、第１カバー穴Ｖ１、第２カバー穴Ｖ２、第３カバー突起Ｖ３および第４カバー穴Ｖ４のみを説明する。他の色のドラムカートリッジ４０および現像カートリッジ５０に対応したバネ、カバー穴およびカバー突起については、同一の構造であるため、同一の符号を付して説明は省略する。
【００７３】
第１カバー穴Ｖ１は、第２現像突起Ｇ２が入る長穴である。詳しくは、第２現像突起Ｇ２は、現像カートリッジ５０が本体筐体２に装着され、かつ、第１カバーＣ１が閉鎖位置に位置する状態において、第１カバー穴Ｖ１に入る。第２現像突起Ｇ２の外径は、第１カバー穴Ｖ１の大きさよりも小さい。
【００７４】
第３カバー突起Ｖ３は、円柱状の突起である。第３カバー突起Ｖ３は、現像カートリッジ５０が本体筐体２に装着され、かつ、第１カバーＣ１が閉鎖位置に位置する状態において、第４現像穴Ｇ４に入る。第４現像穴Ｇ４の大きさは、第３カバー突起Ｖ３の外径よりも大きい。
【００７５】
第２カバー穴Ｖ２は、ドラムカートリッジ４０が本体筐体２に装着され、かつ、第１カバーＣ１が閉鎖位置に位置する状態において、第２ドラム突起Ｄ２が入る穴である。
【００７６】
第４カバー穴Ｖ４は、ドラムカートリッジ４０が本体筐体２に装着され、かつ、第１カバーＣ１が閉鎖位置に位置する状態において、第４ドラム突起Ｄ４が入る穴である。
【００７７】
バネＳＰは、第２現像突起Ｇ２が第１カバー穴Ｖ１に入った状態において、第２現像突起Ｇ２を押圧するバネである。バネＳＰは、第２現像突起Ｇ２を介して、現像ローラ５１を感光ドラム４１に向けて押圧する。
【００７８】
以上のようにカバープレートＰＣおよび本体プレートＰＭが構成されることで、第１方向におけるドラムカートリッジ４０の両端および第１方向における現像カートリッジ５０の両端は、カバープレートＰＣおよび本体プレートＰＭに支持される。そして、カバープレートＰＣおよび本体プレートＰＭが上下方向に移動すると、図８（ａ），（ｂ）に示すように、ドラムカートリッジ４０および現像カートリッジ５０がカバープレートＰＣおよび本体プレートＰＭとともに上下方向に移動するようになっている。これにより、ドラムカートリッジ４０は、図８（ｂ）に示すベルト接触位置と、図８（ａ）に示すベルト離間位置との間を移動可能となっている。ここで、ベルト接触位置は、感光ドラム４１が中間転写ベルト６３に接触する位置である。また、ベルト離間位置は、感光ドラム４１が中間転写ベルト６３から離間する位置である。
【００７９】
また、ドラムカートリッジ４０および現像カートリッジ５０が本体筐体２に装着された状態において、現像カートリッジ５０は、図８（ｃ）に示す接触位置と、図８（ｂ）に示す離間位置との間を、ドラムカートリッジ４０に対して移動可能となっている。ここで、接触位置は、現像ローラ５１が感光ドラム４１と接触する位置である。また、離間位置は、現像ローラ５１が感光ドラム４１と離間する位置である。現像カートリッジ５０は、後述するバネＳＰおよびカムＣＭによって、接触位置と離間位置との間を移動可能となっている。
【００８０】
図６および図７に示すように、バネＳＰは、トーションバネである。バネＳＰは、一端と、他端と、を有する。バネＳＰの一端は、カバープレートＰＣに支持される。バネＳＰの他端は、後述するカムＣＭの突起ＣＭ１に接触する。
【００８１】
バネＳＰは、現像カートリッジ５０が接触位置に位置する場合には（図８（ｃ）参照）、図７（ｃ）に示す第１位置に位置する。また、バネＳＰは、現像カートリッジ５０が離間位置に位置する場合には（図８（ｂ）参照）、図７（ｂ）に示す第２位置に位置する。詳しくは、バネＳＰの他端が、第１位置と第２位置との間を移動可能となっている。
【００８２】
カムＣＭは、カバープレートＰＣに第２方向に移動可能に支持されている。カムＣＭは、４つの突起ＣＭ１を有する。カムＣＭは、図７（ｃ）に示す第３位置と、図７（ｂ）に示す第４位置との間で移動可能である。ここで、第３位置は、バネＳＰを第１位置に位置させるための位置である。また、第４位置は、バネＳＰを第２位置に位置させるための位置である。
【００８３】
以上のように構成されるバネＳＰおよびカムＣＭは、本体プレートＰＭにも設けられている。なお、本体プレートＰＭに設けられるバネＳＰおよびカムＣＭの図示は省略する。本体プレートＰＭに設けられるバネＳＰは、第１本体突起Ｍ１を介して、現像ローラ５１を感光ドラム４１に向けて押圧する。本体プレートＰＭのカムＣＭは、カバープレートＰＣのカムＣＭとともに第２方向に移動可能となっている。なお、本体筐体２は、各カムＣＭを第２方向に移動させるための図示せぬ駆動装置を備えている。
【００８４】
次に、前述した各部材の作用効果について説明する。
ユーザが現像カートリッジ５０を本体筐体２に装着すると、図３（ａ）に示す現像カートリッジ５０の第１現像穴Ｇ１に、図５に示す本体プレートＰＭの第１本体突起Ｍ１が入る。この際、図３（ａ）に示す現像カートリッジ５０の第３現像穴Ｇ３にも、図５に示す本体プレートＰＭの第３本体突起Ｍ３が入る。
【００８５】
また、ユーザがドラムカートリッジ４０を本体筐体２に装着すると、図４（ａ）に示すドラムカートリッジ４０の第１ドラム穴Ｄ１に、図５に示す本体プレートＰＭの第２本体突起Ｍ２が入る。この際、図４（ａ）に示すドラムカートリッジ４０の第３ドラム穴Ｄ３にも、図５に示す本体プレートＰＭの第４本体突起Ｍ４が入る。
【００８６】
その後、図２に示すように、ユーザが第１カバーＣ１を閉じると、現像カートリッジ５０の第２現像突起Ｇ２が、カバープレートＰＣの第１カバー穴Ｖ１に入る。この際、現像カートリッジ５０の第４現像穴Ｇ４にも、カバープレートＰＣの第３カバー突起Ｖ３が入る。
また、この際、ドラムカートリッジ４０の第４ドラム突起Ｄ４が、カバープレートＰＣの第４カバー穴Ｖ４に入る。さらに、この際、ドラムカートリッジ４０の第２ドラム突起Ｄ２も、カバープレートＰＣの第２カバー穴Ｖ２に入る。
【００８７】
以上により、各穴に各突起が入ることで、ドラムカートリッジ４０および現像カートリッジ５０を本体筐体２に位置決めすることができる。
【００８８】
図７（ａ），（ｂ）の順に示すように、カバープレートＰＣを、本体プレートＰＭとともに上昇させると、図８（ａ），（ｂ）の順に示すように、ドラムカートリッジ４０および現像カートリッジ５０が上昇する。これにより、感光ドラム４１が中間転写ベルト６３に接触する。
【００８９】
次いで、図７（ｂ），（ｃ）の順に示すように、カムＣＭを第４位置から第３位置に移動させると、バネＳＰによって、現像カートリッジ５０の第２現像突起Ｇ２（図３（ｂ）参照）と本体筐体２の第１本体突起Ｍ１が押圧される。これにより、図８（ｂ），（ｃ）の順に示すように、現像カートリッジ５０が離間位置から接触位置に移動する。
【００９０】
なお、現像カートリッジ５０を接触位置から離間位置に移動させる動作や、感光ドラム４１を中間転写ベルト６３から離間させる動作は、前述した動作を逆の手順で行えばよい。
【００９１】
以上によれば、本実施形態において以下のような効果を得ることができる。
本体筐体２に対して第１方向に着脱可能なドラムカートリッジ４０および現像カートリッジ５０の位置決め精度を向上させることができる。
【００９２】
なお、本発明は前記実施形態に限定されることなく、以下に例示するように様々な形態で利用できる。以下の説明においては、前記実施形態と略同様の構造となる部材には同一の符号を付し、その説明は省略する。
【００９３】
図９に示すように、ドラムカートリッジ４０および現像カートリッジ５０を、２つの連結カバー１００Ａ，１００Ｂで連結してもよい。この場合、ドラムカートリッジ４０および現像カートリッジ５０等は、以下のように構成することができる。
【００９４】
現像カートリッジ５０は、第１現像突起Ｇ１１と、第３現像突起Ｇ１３と、を有する。第１現像突起Ｇ１１および第３現像突起Ｇ１３は、第１現像外表面Ｆ２１に位置する。
【００９５】
ドラムカートリッジ４０は、第１ドラム突起Ｄ１１と、第３ドラム突起Ｄ１３と、を有する。第１ドラム突起Ｄ１１および第３ドラム突起Ｄ１３は、第１ドラム外表面Ｆ１１に位置する。
【００９６】
連結カバー１００Ａは、ドラムカートリッジ４０の第１方向における一端および現像カートリッジ５０の第１方向における一端に位置する。連結カバー１００Ｂは、ドラムカートリッジ４０の第１方向における他端および現像カートリッジ５０の第１方向における他端に位置する。
【００９７】
連結カバー１００Ａは、穴１０１〜１０６を有する。穴１０１，１０２は、長穴である。
【００９８】
図１０に示すように、第１現像突起Ｇ１１は、穴１０１を通って連結カバー１００Ａの外側に突出する。第１現像突起Ｇ１１は、穴１０１に沿って移動可能である。
【００９９】
現像カップリングＣＰ１は、穴１０２に入る。現像カップリングＣＰ１は、穴１０２に沿って移動可能である。
【０１００】
第３現像突起Ｇ１３は、穴１０３に入る。第３現像突起Ｇ１３は、連結カバー１００Ａから突出する。ドラムカップリングＣＰ２は、穴１０４に入る。
【０１０１】
第１ドラム突起Ｄ１１は、穴１０５に入る。第１ドラム突起Ｄ１１は、連結カバー１００Ａから突出する。第３ドラム突起Ｄ１３は、穴１０６に入る。第３ドラム突起Ｄ１３は、連結カバー１００Ａから突出する。
【０１０２】
図１１に示すように、現像カートリッジ５０は、第２現像突起Ｇ１２と、第４現像突起Ｇ１４と、円柱状部Ｆ２２１と、を有する。第２現像突起Ｇ１２、第４現像突起Ｇ１４および円柱状部Ｆ２２１は、第２現像外表面Ｆ２２に位置する。
【０１０３】
ドラムカートリッジ４０は、第２ドラム突起Ｄ１２と、第４ドラム突起Ｄ１４と、を有する。第２ドラム突起Ｄ１２および第４ドラム突起Ｄ１４は、第２ドラム外表面Ｆ１２に位置する。
【０１０４】
連結カバー１００Ｂは、穴１１１〜１１６を有する。穴１１１，１１２は、長穴である。
【０１０５】
図１２に示すように、第２現像突起Ｇ１２は、穴１１１に入る。第２現像突起Ｇ１２は、連結カバー１００Ｂから突出する。第２現像突起Ｇ１２が穴１１１に入った状態で、現像カートリッジ５０は、ドラムカートリッジ４０に対して移動可能である。
【０１０６】
円柱状部Ｆ２２１は、穴１１２に入る。円柱状部Ｆ２２１が穴１１２に入った状態で、現像カートリッジ５０は、ドラムカートリッジ４０に対して移動可能である。
【０１０７】
第４現像突起Ｇ１４は、穴１１３に入る。第４現像突起Ｇ１４は、連結カバー１００Ｂから突出する。感光ドラム４１のシャフト４１Ａは、穴１１４に入る。
【０１０８】
第２ドラム突起Ｄ１２は、穴１１５に入る。第２ドラム突起Ｄ１２は、連結カバー１００Ｂから突出する。第４ドラム突起Ｄ１４は、穴１１６に入る。第４ドラム突起Ｄ１４は、連結カバー１００Ｂから突出する。
【０１０９】
図１３に示すように、本体プレートＰＭは、第１本体穴Ｍ１１と、第２本体穴Ｍ１２と、第３本体穴Ｍ１３と、第４本体穴Ｍ１４と、穴１２２，１２４と、４つの回動カム２１０と、直動カム２２０と、を有する。
【０１１０】
第１本体穴Ｍ１１は、第１現像突起Ｇ１１が入る穴である。第２本体穴Ｍ１２は、第１ドラム突起Ｄ１１が入る穴である。第３本体穴Ｍ１３は、第３現像突起Ｇ１３が入る穴である。第４本体穴Ｍ１４は、第３ドラム突起Ｄ１３が入る穴である。
【０１１１】
穴１２２は、現像カップリングＣＰ１に連結される図示せぬ本体カップリングを通すための穴である。穴１２４は、ドラムカップリングＣＰ２に連結される図示せぬ本体カップリングを通すための穴である。
【０１１２】
回動カム２１０は、第１現像突起Ｇ１１を押圧するためのカムである。回動カム２１０は、上端部と、下端部と、を有する。回動カム２１０の下端部が、本体プレートＰＭに回動可能に支持されている。回動カム２１０は、第１現像突起Ｇ１１が入る穴２１１を有する。穴２１１は、回動カム２１０の他端部に位置する。穴２１１の大きさは、第１現像突起Ｇ１１の直径よりも大きい。
【０１１３】
直動カム２２０は、４つの回動カム２１０をともに回動させるためのカムである。直動カム２２０は、４つの回動カム２１０を回動可能に支持している。直動カム２２０は、本体プレートＰＭに対して第２方向に移動可能となっている。
【０１１４】
カバープレートＰＣは、第１カバー穴Ｖ１１と、第２カバー穴Ｖ１２と、第３カバー穴Ｖ１３と、第４カバー穴Ｖ１４と、穴１３２，１３４と、を有する。
【０１１５】
第１カバー穴Ｖ１１は、第２現像突起Ｇ１２が入る穴である。第２カバー穴Ｖ１２は、第２ドラム突起Ｄ１２が入る穴である。第３カバー穴Ｖ１３は、第４現像突起Ｇ１４が入る穴である。第４カバー穴Ｖ１４は、第４ドラム突起Ｄ１４が入る穴である。穴１３４は、感光ドラム４１のシャフト４１Ａが入る穴である。
【０１１６】
なお、カバープレートＰＣは、前述した４つの回動カム２１０と直動カム２２０と同様の部材を備えている。また、前述した第１現像突起Ｇ１１と第２現像突起Ｇ１２は、図示せぬバネによって、感光ドラム４１に向けて付勢されている。
【０１１７】
この形態では、直動カム２２０が図１４（ａ）に示す位置に位置する場合には、回動カム２１０は、第１現像突起Ｇ１１に接触していない。そのため、第１現像突起Ｇ１１が図示せぬバネで感光ドラム４１に向けて付勢されて、現像ローラ５１が感光ドラム４１に接触する。
【０１１８】
直動カム２２０が図１４（ｂ）に示す位置に位置する場合には、回動カム２１０は、第１現像突起Ｇ１１に接触する。詳しくは、回動カム２１０は、図示せぬバネの付勢力に抗して第１現像突起Ｇ１１を、感光ドラム４１から離れる方向に押圧する。これにより、現像カートリッジ５０が第３現像突起Ｇ１３を中心に回動して、現像ローラ５１が感光ドラム４１から離間する。
【０１１９】
なお、図１５に示すように、現像カートリッジ５０は、現像カップリングＣＰ１を中心に回動してもよい。この場合、連結カバー１００Ａの穴１０２を丸穴とし、穴１０３を長穴とすればよい。
【０１２０】
図１６および図１７に示すように、現像カートリッジ５０を、ドラムカートリッジ４０に対して着脱可能に構成してもよい。この場合、ドラムカートリッジ４０および現像カートリッジ５０は、以下のように構成することができる。
【０１２１】
現像カートリッジ５０は、第１現像穴Ｇ２１と、第３現像穴Ｇ２３と、を有する。第１現像穴Ｇ２１および第３現像穴Ｇ２３は、第１現像外表面Ｆ２１に位置する。
【０１２２】
ドラムカートリッジ４０は、第１ドラム穴Ｄ２１と、第３ドラム穴Ｄ２３と、を有する。第１ドラム穴Ｄ２１および第３ドラム穴Ｄ２３は、第１ドラム外表面Ｆ１１に位置する。
【０１２３】
図１８に示すように、現像カートリッジ５０は、第２現像穴Ｇ２２と、第４現像穴Ｇ２４と、を有する。第２現像穴Ｇ２２および第４現像穴Ｇ２４は、第２現像外表面Ｆ２２に位置する。
【０１２４】
ドラムカートリッジ４０は、第２ドラム穴Ｄ２２と、第４ドラム穴Ｄ２４と、を有する。第２ドラム穴Ｄ２２および第４ドラム穴Ｄ２４は、第２ドラム外表面Ｆ１２に位置する。特に、第４ドラム穴Ｄ２４は、ドラムハンドルＨ２上に位置する。
【０１２５】
本発明は、前述した各実施形態に限らず、様々に変更可能である。例えば、第２現像突起を、第２現像穴としてもよい。また、第１カバー穴を、第１カバー突起としてもよい。また、第２カバー穴を、第２カバー突起としてもよい。また、第４カバー穴を、第４カバー突起としてもよい。
【０１２６】
前記実施形態では、第２方向を、第１方向および上下方向に直交する方向としたが、本発明はこれに限定されない。第２方向は、第１方向と交差する方向であればよい。
【０１２７】
前記実施形態では、カラープリンタ１に本発明を適用したが、本発明はこれに限定されず、その他の画像形成装置、例えばモノクロのプリンタ、複写機、複合機などに本発明を適用してもよい。
【０１２８】
前記した実施形態および変形例で説明した各要素を、任意に組み合わせて実施してもよい。
【符号の説明】
【０１２９】
１      カラープリンタ
２      本体筐体
２２Ａ  開口
４０    ドラムカートリッジ
４１    感光ドラム
５０    現像カートリッジ
５１    現像ローラ
６３    中間転写ベルト
Ｃ１    第１カバー
Ｆ１    ドラムフレーム
Ｆ２    現像フレーム
Ｆ２１  第１現像外表面
Ｆ２２  第２現像外表面
Ｇ１    第１現像穴
Ｇ２    第２現像突起
Ｘ１    第１軸
Ｘ２    第２軸
【図１】
2020052358.tif 000003
【図２】
2020052358.tif 000004
【図３】
2020052358.tif 000005
【図４】
2020052358.tif 000006
【図５】
2020052358.tif 000007
【図６】
2020052358.tif 000008
【図７】
2020052358.tif 000009
【図８】
2020052358.tif 000010
【図９】
2020052358.tif 000011
【図１０】
2020052358.tif 000012
【図１１】
2020052358.tif 000013
【図１２】
2020052358.tif 000014
【図１３】
2020052358.tif 000015
【図１４】
2020052358.tif 000016
【図１５】
2020052358.tif 000017
【図１６】
2020052358.tif 000018
【図１７】
2020052358.tif 000019
【図１８】
2020052358.tif 000020